(57)【要約】【課題】後キャビネットの固定に用いるビスを削減した表示装置及びテレビジョン受信機を提供する。【解決手段】映像を表示する表示パネル（液晶表示モジュール２）の周囲に配置される枠型の前キャビネット１と、該前キャビネットの後側に配置される箱型の後キャビネット６と、該後キャビネット６に収容され、前記表示パネルに光を照射する光源を収納した箱型の筐体（バックライトシャーシ４）とを備える表示装置において、前記筐体は、係止部（爪部４ａ）を有し、前記後キャビネット６は、前記係止部に係止され、前記後キャビネット６を固定する被係止部（フック６ａ）を有するよう構成する。【選択図】図１
2013167827.tif 000002
【特許請求の範囲】
【請求項１】
映像を表示する表示パネルの周囲に配置される枠型の前キャビネットと、
該前キャビネットの後側に配置される箱型の後キャビネットと、
該後キャビネットに収容され、前記表示パネルに光を照射する光源を収納した箱型の筐体と
を備える表示装置において、
前記筐体は、係止部を有し、
前記後キャビネットは、前記係止部に係止され、前記後キャビネットを固定する被係止部を有すること
を特徴とする表示装置。
【請求項２】
前記筐体は金属にて構成され、前記係止部は、前記筐体を切り起こして形成してある爪部であること
を特徴とする請求項１に記載の表示装置。
【請求項３】
前記係止部は、前記筐体に形成してある穴部であること
を特徴とする請求項１に記載の表示装置。
【請求項４】
前記被係止部はフック状をなし、前記後キャビネット内面より突出してあること
を特徴とする請求項１から３のいずれか一項に記載の表示装置。
【請求項５】
前記被係止部は、前記後キャビネット背部内面より突出し、前記後キャビネット側面と平行な断面は、突出端部が閉じている横Ｕ字状をなし、該横Ｕ字状の下面には、一側面が前記後キャビネット背面と平行である三角柱状の突起を有すること
を特徴とする請求項１から３のいずれか一項に記載の表示装置。
【請求項６】
前記後キャビネットは、該後キャビネットの前記筐体への固定を解除するための工具を差し込む工具穴を更に有すること
を特徴とする請求項１から４のいずれか一項に記載の表示装置。
【請求項７】
請求項１から請求項６までのいずれか一項に記載の表示装置と、
テレビジョン放送を受信する受信部と
を備え、
前記受信部が受信したテレビジョン放送に基づいて、前記表示装置に映像を表示するようにしてあること
を特徴とするテレビジョン受信機。
【発明の詳細な説明】
【技術分野】
【０００１】
本発明は映像を表示する表示装置及び該表示装置を備えたテレビジョン受信機に関する。
【背景技術】
【０００２】
液晶パネルを映像表示部に用いる液晶表示装置は、薄形で軽量である上、消費電力が小さいことから、近年、テレビジョン受信機、コンピュータ及び携帯端末用の画像表示装置として広く採用されている。液晶表示装置は、液晶表示パネル、該液晶表示パネルの周囲に配置される前キャビネット、液晶表示パネルに光を供給する光源、光源を収納するバックライトシャーシ（筐体）、バックライトシャーシを収容する後キャビネットを含む。液晶表示装置は、液晶表示パネル、光源を収納したバックライトシャーシを、前キャビネットと後キャビネットの間に収め、前キャビネットと後キャビネットとが互いに固定する構造となっている。液晶表示装置は、光源より供給された光を、液晶表示パネルにて偏光することで映像を表示する。このような表示装置において、後キャビネットは、ビスを用いて、前キャビネット及びバックライトシャーシを固定している。近年、表示装置の大型化に伴い、後キャビネットを固定するためのビス数が増加し、ビスの部品点数及び後キャビネット固定のための作業工数、作業時間が増加している。そのため、使用するビス数の低減が求められている。
【０００３】
特許文献１には、ビスを用いずにキャビネットを固定する表示装置が記載されている。該表示装置は、液晶表示パネルを支持する内部シャーシに突起部を設け、該突起部と係合するフックを前キャビネットに設けることにより、ビスを用いずに前キャビネットを内部シャーシに固定している。
【先行技術文献】
【特許文献】
【０００４】
【特許文献１】特開２００６−１６２９８５号公報
【発明の概要】
【発明が解決しようとする課題】
【０００５】
しかしながら、上記の従来技術では、前キャビネットの固定にビスを用いないものであり、後キャビネットの固定は、全ての固定箇所において、依然としてビスを用いている。
【０００６】
本発明はかかる事情に鑑みてなされたものであり、後キャビネットの固定に用いるビスを削減した表示装置及びテレビジョン受信機を提供することを目的とする。
【課題を解決するための手段】
【０００７】
本発明に係る表示装置は、映像を表示する表示パネルの周囲に配置される枠型の前キャビネットと、該前キャビネットの後側に配置される箱型の後キャビネットと、該後キャビネットに収容され、前記表示パネルに光を照射する光源を収納した箱型の筐体とを備える表示装置において、前記筐体は、係止部を有し、前記後キャビネットは、前記係止部に係止され、前記後キャビネットを固定する被係止部を有することを特徴とする。
【０００８】
本発明にあっては、後キャビネットが有する被係止部が、筐体に形成してある係止部に係止されることにより、後キャビネットを筐体に固定してあるので、後キャビネットを筐体へ固定するために用いるビスの数を削減することが可能となる。
【０００９】
本発明に係る表示装置は、前記筐体は金属にて構成され、前記係止部は、前記筐体を切り起こして形成してある爪部であることを特徴とする。
【００１０】
本発明にあっては、係止部は筐体を切り起こして形成してある爪部であり、切り起こしは、筐体をプレス加工する際に、同時に形成することができるので、軽微なコストアップで爪部を形成することが可能となる。
【００１１】
本発明に係る表示装置は、前記係止部は、前記筐体に形成してある穴部であることを特徴とする。
【００１２】
本発明にあっては、係止部は穴部である。穴部は、筐体をプレス加工する際に、同時に形成することができるので、軽微なコストアップで穴部を形成することが可能となる。
【００１３】
本発明に係る表示装置は、前記被係止部はフック状をなし、前記後キャビネット内面より突出してあることを特徴とする。
【００１４】
本発明にあっては、被係止部はフック状としたため、後キャビネットを筐体背面から押しこむことで、被係止部を容易に筐体の有する係止部により係止させることが可能となる。
【００１５】
本発明に係る表示装置は、前記被係止部は、前記後キャビネット背部内面より突出し、前記後キャビネット側面と平行な断面は、突出端部が閉じている横Ｕ字状をなし、該横Ｕ字状の下面には、一側面が前記後キャビネット背面と平行である三角柱状の突起を有することを特徴とする。
【００１６】
本発明にあっては、被係止部を横Ｕ字状としてあるので、工具を使用することなく、被係止部を係止部より外すことが可能となる。
【００１７】
本発明に係る表示装置は、前記後キャビネットは、該後キャビネットの前記筐体への固定を解除するための工具を差し込む工具穴を更に有することを特徴とする。
【００１８】
本発明にあっては、後キャビネットは、該後キャビネットを筐体より外すための工具を差し込む工具穴を更に有するので、工具を使用することにより、容易に後キャビネットを筐体から取り外すことが可能となる。
【００１９】
本発明に係るテレビジョン受信機は、上述に記載の表示装置と、テレビジョン放送を受信する受信部とを備え、前記受信部が受信したテレビジョン放送に基づいて、前記表示装置に映像を表示するようにしてあることを特徴とする。
【００２０】
本発明にあっては、上述の表示装置を備えるテレビジョン受信機において、後キャビネットの有する被係止部が、筐体に形成してある係止部に係止されることにより、後キャビネットを筐体に固定してあるので、後キャビネットを筐体へ固定するために用いるビスの数を削減することが可能となる。
【発明の効果】
【００２１】
本発明にあっては、後キャビネットの有する被係止部が、筐体に形成してある係止部に係止されることにより、後キャビネットを筐体に固定してあるので、後キャビネットを筐体へ固定するために用いるビスの数を削減することが可能となる。
【図面の簡単な説明】
【００２２】
【図１】実施の形態１に係るテレビジョン受信機の一構成例を示す概略分解斜視図である。
【図２】後キャビネットに形成してあるフックを示す斜視図である。
【図３】バックライトシャーシに形成してある爪部を示す斜視図である。
【図４】実施の形態１に係るテレビジョン受信機の主要部の断面図である。
【図５】バックライトシャーシ４及び前キャビネット１を後側から見た図である。
【図６】実施の形態１に係るテレビジョン受信機にて、フックより爪部を外す方法を示す説明図である。
【図７】実施の形態２に係るテレビジョン受信機の主要部の断面図である。
【図８】実施の形態３に係るテレビジョン受信機の主要部の断面図である。
【図９】実施の形態４に係るテレビジョン受信機の下側部分の断面図である。
【発明を実施するための形態】
【００２３】
以下、本発明をその実施の形態を示す図面に基づき具体的に説明する。
実施の形態１
図１は、実施の形態１に係るテレビジョン受信機の一構成例を示す概略分解斜視図である。本図に示すようにテレビジョン受信機は、前キャビネット１、液晶表示モジュール２、光源モジュール３、バックライトシャーシ４、複数の回路基板５、及び後キャビネット６を備えている。
【００２４】
前キャビネット１は枠型状であり液晶表示モジュール２の周囲に配置される。後キャビネット６は一面が開口された箱型形状をなし、バックライトシャーシ４等を収容する。後キャビネット６には、バックライトシャーシ４に向かって突出するフック６ａ（被係止部）が形成してある。
【００２５】
液晶表示モジュール２（表示パネル）は、矩形状の液晶パネル、光学シート等から構成されている。バックライトシャーシ４（箱型の筐体）は、一面に開口部を持つ箱型の筐体である。バックライトシャーシ４は、鉄、アルミ、鋼等の金属で形成される。バックライトシャーシ４には、爪部４ａ（係止部）が形成してある。液晶表示モジュール２は、液晶への印加電圧を制御して光の透過率を調整し、映像を一面に表示するように構成されている。光源モジュール３に含まれる光源は、例えば、ＬＥＤ（Light Emitting Diode）である。
以降の説明においては、テレビジョン受信機の映像が表示される側を前側、前側の逆側を後側、前側から見て右を右側、前側から見て左を左側と呼ぶ。テレビジョン受信機の上側、テレビジョン受信機の下側を、単に上側、下側と呼ぶ。
【００２６】
回路基板群５は、チューナ基板（受信部）、画像処理基板、音声処理基板、電源基板等を含む。チューナ基板は、テレビジョン放送を受信し、放送信号を取り出す。画像処理基板は、放送信号から画像情報を取り出し、取り出した画像情報を液晶表示モジュール２に出力する。音声処理基板は放送信号から音声情報を取り出し、取り出した音声情報を図示しないスピーカユニットより出力させる。電源基板は、所定電圧の電力をテレビジョン受信機の各部に供給する。
【００２７】
光源モジュール３はバックライトシャーシ４に収納される。液晶表示モジュール２及びバックライトシャーシ４は枠型の前キャビネット１に取り付けられる。バックライトシャーシ４の後面外側に回路基板５を固定し、前キャビネット１に後キャビネット６を組み付ける。
【００２８】
図２は後キャビネット６に形成してあるフック６ａを示す斜視図である。図３はバックライトシャーシ４に形成してある爪部４ａを示す斜視図である。図４は実施の形態１に係るテレビジョン受信機の主要部の断面図である。図４では、光源モジュール３の記載は省略している。フック６ａは、後キャビネット６の背部内面に対して略垂直方向、前側に突出するように形成してある。フック６ａの先端部上側には切欠きがあり、段差部６ｂが形成されている。フック６ａの下側の面には側面視三角形状の突起部６ｄが形成されている。突起部６ｄは、先端部６ｃから後下方向に傾斜する傾斜面と後キャビネット６の背面と平行で下方向に突出している面とで形成されている。
【００２９】
図３に示すように、バックライトシャーシ４に形成してある爪部４ａは、バックライトシャーシ４後側の面の一部を短冊状に切り起こしたものである。バックライトシャーシ４後側の面にへこみ４ｂを形成し、その一部を短冊状に切り起こしている。爪部４ａは、根元からバックライトシャーシ４と垂直な方向に立ち上がり、次にバックライトシャーシ４に平行となるように折り曲げた形状としてある。爪部４ａが形成されたことにより、穴部４ｃが形成される。
【００３０】
図４に示しているように、後キャビネット６に形成したフック６ａは、穴部４ｃからバックライトシャーシ４の内部に突出し、突起部６ｄとバックライトシャーシ４に形成した爪部４ａとが嵌り合う。フック６ａ先端付近の段差部６ｂがバックライトシャーシ４の上側と嵌る。段差を設けたことで、光源モジュール３の光が漏れる量を減少させることが可能となる。フック６ａの下側に設けた溝部６ｄは爪部４ａと嵌り合う。溝部６ｄに爪部４ａが嵌ることにより、光源モジュール３の光が漏れる量を減少させることが可能となる。フック６ａの左右方向の幅と、爪部４ａの左右方向の幅とを同一の寸法とすることにより、フック６ａの左右から漏れる光源モジュール３の光を最小限にすることが可能となる。
【００３１】
フック６ａを爪部４ａに係止するときは、後キャビネット６をバックライトシャーシ４との結合位置からやや上側にずらした位置にて、フック６ａを先端部６ｃから穴部４ｃに挿入し、段差部６ｂの後面がバックライトシャーシ４に当たったところで、後キャビネット６をバックライトシャーシ４と結合する高さ位置に戻せば良い。フック６ａの上面、下面は傾斜しているので、フック６ａを穴部４ｃに挿入するに従い、爪部４ａは下側にたわむ。後キャビネット６をバックライトシャーシ４と結合する高さ位置に戻したときに、爪部４ａは元の状態に戻り、突起部６ｄを係止する。
【００３２】
上述したように、後キャビネット６に形成したフック６ａと、バックライトシャーシ４に形成した爪部４ａとが嵌り合うことで、後キャビネット６はバックライトシャーシ４に固定される。爪部４ａを形成したことによる穴４ｃは、フック６ａが嵌ることにより塞がれるので、光源モジュール３の光が漏れる量を減少させることが可能となる。
【００３３】
後キャビネット６のフック６ａの下部には、工具穴６ｅが設けられている。工具穴６ｅは、爪部６ａの係止状態を解除するために用いる工具を差し込むための穴である。工具穴６ｅは、爪部４ａに対応した位置に設け、フック６ａが爪部４ａに係止されている状態で、工具穴６ｅより爪部４ａの先端が見えるようにしてある。工具穴６ｅは、放熱孔としての役割も持っている。
【００３４】
図５はバックライトシャーシ４及び前キャビネット１を後側から見た図である。爪部４ａは、バックライトシャーシ４の上辺側に５箇所、両側辺側にそれぞれ２箇所ずつ、下辺側には左右にそれぞれ一箇所ずつ設けてある。前キャビネット１の下方は、後キャビネット６と結合する部分があり、ビス止め用のボス１０が形成してある。
【００３５】
図６は実施の形態１に係るテレビジョン受信機にて、フック６ａより爪部４ａを外す方法を示す説明図である。図６Ａはフック６ａが爪部４ａに嵌っている状態を示している。図６Ｂはフック６ａを爪部４ａから外すために爪部４ａをたわませている状態を示している。バックライトシャーシ４は剛性の強い金属で製作されるので、爪部４ａをフック６ａから外す（後キャビネット６のバックライトシャーシ４への固定を解除する）ためには、工具が必要となる。
【００３６】
図６Ｂに示すように、爪部４ａをフック６ａから外すには、工具穴６ｅよりドライバなどの先端が細い工具Ｔを差し込み、爪部４ａを下方向にたわませ、フック６ａの係止状態を解除する。すべてのフック６ａの係止状態を解除した後に、後キャビネット６を後側に引っ張ることにより、バックライトシャーシ４から、後キャビネット６を取り外すことが可能となる。
【００３７】
以上のように、実施の形態１に係るテレビジョン受信機では、フック６ａと爪部４ａとが嵌り合うことで、後キャビネット６をバックライトシャーシ４に固定することが可能となる。後キャビネット６と前キャビネット１との結合にはビスを必要とするものの、後キャビネット６とバックライトシャーシ４との結合にはビスが不要となるので、部品点数の低減と、組み立て時の工数、及び作業時間の低減が可能となる。
【００３８】
実施の形態２
図７は実施の形態２に係るテレビジョン受信機の主要部の断面図である。図４同様、光源モジュール３の記載は省略している。実施の形態１と同様な構成については、同一の符号を付している。
【００３９】
実施の形態２に係るテレビジョン受信機では、バックライトシャーシ４に爪部は形成されておらず、後キャビネット６に形成されたフック６ａが嵌る穴部４ｃが形成されている。また、フック６ａには、バックライトシャーシ４への当てリブ６ｆが形成されている。フック６ａの左右方向の幅と、穴部４ｃの左右方向の幅とは同一の寸法としてある。それにより、フック６ａの左右から漏れる光源モジュール３の光を最小限にすることが可能となる。
【００４０】
当てリブ６ｆは、フック６ａの下面より下側に突出するようにしてある。当てリブ６ｆの下方向の突出長は、フック６ａが穴部４ｃで係止された状態で、穴部４ｃの下端より下側となるようにしてある。フック６ａが穴部４ｃに結合された状態で、フック６ａ付近の後側から後キャビネット６が押されたときに、フック６ａがバックライトシャーシ４内部に沈み込むことを防ぐためである。当てリブ６ｆの横幅は、フック６ａの横幅と同一又はそれ以上の寸法であることが望ましいが、フック６ａの横幅を下回る寸法でも良い。当てリブ６ｆの横幅が広いほど、フック６ａの沈み込みを効果的に防ぐことが可能である。
【００４１】
フック６ａにおいて、突起部６ｄの下端から段差部６ｂの上端までの高さは、穴部４ｃの高さと同一寸法、又はやや下回る寸法としてある。本実施の形態ではフック６ａは穴部４ｃで係止されるため、バックライトシャーシ４をたわますことにより、フック６ａを係止状態にすること、又は係止状態を解除することは困難である。そのため、フック６ａをたわませて係止状態にする又は係止状態を解除するよう、上述の寸法としてある。
【００４２】
図７に示しているように、フック６ａに設けられた突起部６ｄが、穴部４ｃにより係止されるようにしてある。フック６ａを穴部４ｃに係止するときは、後キャビネット６を結合位置からやや上側にずらした位置にて、フック６ａを先端部６ｃから穴部４ｃに挿入し、段差部６ｂの後面がバックライトシャーシ４に当たったところで、後キャビネット６をバックライトシャーシ４と結合する高さ位置に戻せば良い。フック６ａの上面、下面は傾斜しているので、フック６ａはたわみながら、バックライトシャーシ４に侵入したのち、突起部６ｄは穴部４ｃに係止される。
【００４３】
フック６ａをバックライトシャーシ４から外す場合は、ドライバなどの先端が細い工具Ｔを用いる。工具Ｔを工具穴６ｅより差し込み、当てリブ６ｆを上に押し上げることにより、フック６ａを上側にたわませ、係止状態を解除する。すべてのフック６ａの係止状態を解除した後に、後キャビネット６を後側に引っ張ることにより、バックライトシャーシ４から、後キャビネット６を取り外すことが可能となる。
【００４４】
実施の形態２では、実施の形態１の効果に加えて、後キャビネット６が後側から押された場合でも、当てリブ６ｆがバックライトシャーシ４に当たることにより、後キャビネット６がバックライトシャーシ４の内部に沈み込むことを防止することが可能となる。
【００４５】
実施の形態３
図８は実施の形態３に係るテレビジョン受信機の主要部の断面図である。図４及び図７と同様、光源モジュール３の記載は省略している。実施の形態１と同様な構成については、同一の符号を付している。
【００４６】
実施の形態３に係るテレビジョン受信機では、後キャビネット６に形成されるフック６ａを横Ｕ字状としてある。図８に示すようにフック６ａは後キャビネット６側面と平行な断面、すなわち上下方向に切った縦断面が、横Ｕ字状をなしている。フック６ａの突出端部が閉じられ、逆方向が開いている横Ｕ字状である。
【００４７】
図８に示すようにフック６ａはバックライトシャーシ４に形成された穴部４ｂに嵌るようにしてある。フック６ａには突起部６ｇが形成してある。突起部６ｇはフック６ａの下面に形成してある。突起部６ｇは三角柱状をしており、三角柱の一側面が、後キャビネット６の背面と平行となっている。突起部６ｇの下方向への突出長は、フック６ａが穴部４ｃに係止された状態で、バックライトシャーシ４の内面に接するようにしてある。それにより、後キャビネット６はバックライトシャーシ４に固定される。フック６ａの後側先端には取手部６ｈが形成してある。また、実施の形態２と同様に、フック６ａの左右方向の幅と、穴部４ｃの左右方向の幅とは、同一の寸法としてある。それにより、フック６ａの左右から漏れる光源モジュール３の光を最小限にすることが可能となる。
【００４８】
後キャビネット６をバックライトシャーシ４に取り付ける場合は、フック６ａの先端を穴部４ｃに差し込み、突起部６ｇがバックライトシャーシ４内部に入るまで、後キャビネット６を押し込む。フック６ａはたわみながら、バックライトシャーシ４内部に入る。突起部６ｇがバックライトシャーシ４内部に入ったところで、たわみが戻り、突起部６ｇが穴部４ｃに係止される。
【００４９】
後キャビネット６をバックライトシャーシ４から取り外す場合、取手部６ｈを指で上側に押し上げる。取手部６ｈを押し上げることにより、突起部６ｇが穴部４ｃから外れ、係止状態が解除される。すべてのフック６ａの係止状態を解除した後に、後キャビネット６を後側に引っ張ることにより、バックライトシャーシ４から、後キャビネット６を取り外すことが可能となる。
【００５０】
実施の形態３では、実施の形態１の効果に加えて、工具を用いることなく、後キャビネット６の取り外しが可能となり、メンテナンス性が向上する。
【００５１】
実施の形態４
図９は実施の形態４に係るテレビジョン受信機の下側部分の断面図である。上述の実施の形態１から３では、図５に示したように、テレビジョン受信機下側の前キャビネット１と後キャビネット６とを締結する箇所については、ビス止めとしていた。実施の形態４では、前キャビネット１と後キャビネット６との締結についても、ビスを不要とする。
【００５２】
図９に示すように、前キャビネット１にはテレビジョン受信機の設置面と略平行で後側に突出している板状部１ａを形成してある。板状部１ａの先端付近には、下側に突出する突起部６ｉを形成してある。後キャビネット６の下側には、テレビジョン受信機の設置面と略平行で前側に突出している第２板状部が形成してある。第２板状部には嵌合穴部６ｊが形成してあり、その位置は、突起部６ｉと対応した位置としてある。突起部１ｂと嵌合穴部６ｊとが嵌合することにより、前キャビネット１と後キャビネット６とを締結することが可能となる。第１板状部及び第２板状部の幅は、ビス止め用ボスの直径と同程度の寸法が望ましい。ビス止め以外の構成に変更を加えることなく、ビス止めを上述の係止方法に変更することが可能となるからである。
【００５３】
前キャビネット１から後キャビネット６を取り外す場合は、ドライバなどの先端の細い工具Ｔにより、板状部１ａを上側に押し上げる。板状部１ａが押し上げられ、板状部１ａがたわむと、突起部１ｂが嵌合穴部６ｊから外れる。すべての突起部１ｂが嵌合穴部６ｊから外れた後に、後キャビネット６を後に引っ張れば、前キャビネット１より後キャビネット６を取り外すことが可能となる。
【００５４】
実施の形態４では、後キャビネット６とバックライトシャーシ４とが締結する箇所に加えて、後キャビネット６と前キャビネット１とが締結する箇所についても、ビスが不要となるので、更なる部品点数の低減と、組み立て時の工数、作業時間の低減が可能となる。
【００５５】
なお、上述の実施の形態１から４に示したフックや突起部は被係止部の例示であり、爪部、穴部、嵌合穴部は係止部の例示である。これら例示したもの以外の形状のものを、被係止部、係止部として採用しても良い。
【００５６】
また、上述した実施の形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００５７】
１  前キャビネット
２  液晶表示モジュール
３  光源モジュール
４  バックライトシャーシ
４ａ  爪部
４ｂ  穴部
５  回路基板
６  後キャビネット
６ａ  フック
６ｅ  工具穴
６ｇ  突起部
【図１】
2013167827.tif 000003
【図２】
2013167827.tif 000004
【図３】
2013167827.tif 000005
【図４】
2013167827.tif 000006
【図５】
2013167827.tif 000007
【図６】
2013167827.tif 000008
【図７】
2013167827.tif 000009
【図８】
2013167827.tif 000010
【図９】
2013167827.tif 000011